(57)【要約】【課題】  最圧縮時に発生する衝撃を吸収する際にバンプクッションをバンプストッパから外周にはみ出し難くしてバンプクッション自体の耐久性を向上させることが出来る構造を備えた油圧緩衝器のバンプストッパを提供する。【解決手段】ピストンロッド２５が出没する緩衝器本体２９の開口部に嵌合され、最圧縮時にピストンロッド２５側に取り付けられたバンプクッション３１と衝突してこのバンプクッション３１を変形させることで上記最圧縮時の衝撃を吸収する油圧緩衝器のバンプストッパにおいて、緩衝器本体の開口部側端部に嵌合するキャップ状本体３９を有し、このキャップ状本体３９にバンプクッション３１と対向する衝突部を設け、この衝突部に上記衝突時におけるバンプクッション３１の外方への変形を抑制するための変形抑制部３５を設けたことを特徴とする。【選択図】        図１
2005265157.tif 000002
【特許請求の範囲】
【請求項１】
ピストンロッドが出没する緩衝器本体の開口部側端部に嵌合され、最圧縮時にピストンロッド側に取り付けられたバンプクッションと衝突してこのバンプクッションを変形させることで上記最圧縮時の衝撃を吸収する油圧緩衝器のバンプストッパにおいて、緩衝器本体の開口部側端部に嵌合するキャップ状本体を有し、このキャップ状本体にバンプクッションと対向する衝突部を設け、この衝突部に上記衝突時におけるバンプクッションの外方への変形を抑制するための変形抑制部を設けたことを特徴とする油圧緩衝器のバンプストッパ。
【請求項２】
キャップ状本体が衝突部となる上壁と、この上壁の外周側から垂設された嵌合部としての筒部とで逆有底筒状に形成され且つ合成樹脂の射出成形で一体形成されている請求項１記載の油圧緩衝器のバンプストッパ。
【請求項３】
バンプクッションとの衝突部はキャップ状本体の上壁であり、変形抑制部はこの上壁中央に設けられたピストンロッド挿通用の挿通孔から外周側に向かって高くなるように上記上壁上面側に形成した傾斜面である請求項２記載の油圧緩衝器のバンプストッパ。
【発明の詳細な説明】
【技術分野】
【０００１】
本発明は、油圧緩衝器本体に取り付けられるバンプストッパに関わり、詳しくは、このバンプストッパと衝突するバンプクッションの耐久性を向上させることができる構造に関する。
【背景技術】
【０００２】
従来より、ピストンロッド側に取り付けられたバンプクッションと衝突してそれを押し縮めながら最圧縮時に発生する衝撃を吸収するために緩衝器本体側に取り付けられた油圧緩衝器のバンプストッパとしては、特許文献１に示すものを例示することができる。
【０００３】
即ち、図３に示すように、このバンプストッパ５はプレス加工によって上壁とこの上壁の外周側から垂設した筒部と備えた逆有底筒状をなすキャップ状本体６からなり、このキャップ状本体６の上壁のコーナー部を同じくプレス加工により放射状に数カ所凹まして窪み７を作り、これらの窪み７を区画する上壁内側から下方へと向かって膨出した複数個の窪み壁８の下端面を係止段部９としている。
【０００４】
キャップ状本体６の筒部１０には上記窪み壁８と円周方向に並べて内外へと通じる複数の排出口１１が形成されると共に、キャップ状本体６の上壁中央にはピストンロッド２を通す挿通孔１２が設けられている。
【０００５】
そして、この挿通孔１２をピストンロッド２に通してバンプストッパ５を緩衝器本体４の開口部に嵌合させると共に、窪み壁８の下端面である係止段部９を緩衝器本体４の上端部に押し当てることにより、この緩衝器本体４の側面で排出口１１を塞ぐことなく開口状態を保ったまま緩衝器本体４の上端部との間に空間部１３を残して上記バンプストッパ５が取り付けられる。
【０００６】
このように構成されたバンプストッパ５を備えた油圧緩衝器を自動車等の車両に使用した場合には、走行中における路面からの入力によって油圧緩衝器が最圧縮状態となると、ピストンロッド２側に取り付けられたバンプクッション１５がバンプストッパ５と衝突してバンプクッション１５を押し縮めながらこの最圧縮時に発生する衝撃を吸収するようになっている。
【特許文献１】特開２０００−８１０７５号（図５）
【発明の開示】
【発明が解決しようとする課題】
【０００７】
上記のように構成された油圧緩衝器のバンプストッパ５においては、特に問題がある訳ではないが、以下に示す課題の発生が考えられる。
【０００８】
即ち、油圧緩衝器の最圧縮状態では、バンプストッパ５に衝突したバンプクッション１５を押し縮めるように変形させることで最圧縮時に発生する衝撃を吸収するので、大きな衝撃を吸収するためにはバンプクッション１５自体が大きく変形する必要がある。
【０００９】
従って、吸収する衝撃の大きさによっては、バンプクッション１５がバンプストッパ５の外側にはみ出す程外方へ変形する場合も考えられる。
【００１０】
この場合、バンプクッション１５が、図４の二点鎖線で示すように、バンプストッパ５の外方に簡単にはみ出してしまうと、このはみ出し部分Ｐが筒部１０の外周に設けた排出口１１の開口端部に引っかかり、破損してバンプクッション１５自体の耐久性を低下させることが考えられる。
【００１１】
そこで、本発明は上記の問題点を解決するために創案されたものであって、その目的は、最圧縮時に発生する衝撃を吸収する際にバンプクッションをキャップ状本体の上壁から外周にはみ出し難くしてバンプクッション自体の耐久性を向上させることが出来る構造を備えた油圧緩衝器のバンプストッパを提供することである。
【課題を解決するための手段】
【００１２】
上記の目的を達成するため、本発明は、ピストンロッドが出没する緩衝器本体の開口部側端部に嵌合され、最圧縮時にピストンロッド側に取り付けられたバンプクッションと衝突してこのバンプクッションを変形させることで上記最圧縮時の衝撃を吸収する油圧緩衝器のバンプストッパにおいて、緩衝器本体の開口部側端部に嵌合するキャップ状本体を有し、このキャップ状本体にバンプクッションと対向する衝突部を設け、この衝突部に上記衝突時におけるバンプクッションの外方への変形を抑制するための変形抑制部を設けたことを特徴とするものである。
【発明の効果】
【００１３】
本発明によれば、油圧緩衝器が最圧縮状態となると、ピストンロッド側に取り付けられたバンプクッションが緩衝器本体に嵌合されたバンプストッパと衝突してバンプクッションを押し縮めながらこの最圧縮時に発生する衝撃を吸収する。
【００１４】
このとき、バンプクッションが衝突するバンプストッパの衝突部には変形抑制部が設けられているので、この変形抑制部に衝突したバンプクッションはその外方へ変形が抑制される。
【００１５】
従って、従来のように、バンプクッションがバンプストッパの外側に簡単にはみ出してしまい、このはみ出し部分が破損してバンプクッション自体の耐久性を低下させると言った虞を確実に防止できる。
【発明を実施するための最良の形態】
【００１６】
以下に、本発明を自動車のサスペンション装置に使用する油圧緩衝器のバンプストッパに具体化した実施の形態を図に基づいて説明する。
【００１７】
この油圧緩衝器２１は複筒型であって、図１に示すように、外筒２２内に挿入された内筒２３と、内筒２３内に図示しないピストンを介して出没自在に挿入されたピストンロッド２５と、内筒２３端部を封止しピストンロッド２５を軸支するロッドガイド２６と、ロッドガイド２６の上壁に配置されたシール部材２７とを備えた緩衝器本体２９と、この緩衝器本体２９の開口部としての上端部に嵌合された有底円筒状をなすバンプストッパ３０と、ピストンロッド２５の先端側に固定されたバンプクッション３１とから構成されている。
【００１８】
以下、詳細に説明すると、外筒２２と上記内筒２３とは同芯に配置され、外筒２２の端部内周と内筒２３の端部とに亘ってロッドガイド２６が嵌合されている。
【００１９】
ロッドガイド２６はその中央にピストンロッド２５を案内する案内孔２４が設けられ、案内孔２４内に嵌合された環状の軸受部材２４ａを介しピストンロッド２５が摺動自在に軸支されている。
【００２０】
シール部材２７はピストンロッド２５との隙間及び外筒２２内周面との隙間をシールする内側及び外側リップ２７ａ、２７ｂを備えており、ロッドガイド２６にシール部材２７を載置した状態で、外筒２２の開口端部を内側に折り曲げて加締めることによってロッドガイド２６及びシール部材２７を外筒２２と内筒２３に対して固定するようになっている。
【００２１】
バンプストッパ３０は本体３９がキャップ状であり、その衝突部としての上壁３２と、上壁３２中央に設けられたピストンロッド２５挿通用の挿通孔３３と、上壁３２の外周側から垂設された嵌合部としての筒部３４とを備えた逆有底筒状に形成され、これらは合成樹脂の射出成形で一体形成されている。
【００２２】
上記上壁３２には中央の挿通孔３３から外周側に向って高くなる変形抑制部としての傾斜面３５が上述したキャップ状本体３９の射出成形時に一体形成されている。
【００２３】
従って、バンプクッション３１がこの傾斜面３５に衝突すると、その当接部に中心方向へ向かう分力Ｆ（図２にのみ図示する）を発生させることと、挿通孔３３に向かう傾斜面３５でバンプクッション３１の軸心方向への変形を許容する凹部が新たに形成されることで容易にバンプクッション３１が外方へ変形しないようになっている。
【００２４】
バンプストッパ３０の上壁３２内側には複数本の上側溝部３６が挿通孔３３を中心として放射状に設けられており、バンプストッパ３０の筒部３４内周面に設けた側面側溝部３７と接続されることで排出路３８が形成されている。
【００２５】
従って、上記挿通孔３３を介してバンプストッパ３０内に侵入した泥水やダスト等は上記排出路３８を通って外部へ排出されるようになっている。
【００２６】
そして、このバンプストッパ３０は上壁３２に設けた挿通孔３３をピストンロッド２５に通すと共に、筒部３４を緩衝器本体２９の上端部に嵌合させると共に、上壁３２内側を緩衝器本体２９の上端部に押し当てることにより、緩衝器本体２９の上端部及び側面との間に排出路３８を残した状態で上記バンプストッパ３０が取り付けられる。
【００２７】
このように構成されたバンプストッパ３０を備えた油圧緩衝器２１はサスペンションの使用状態において、走行中における路面からの入力によって油圧緩衝器２１が最圧縮状態となると、ピストンロッド２５側に取り付けられたバンプクッション３１がバンプストッパ３０と衝突してバンプクッション３１を押し縮めながらこの最圧縮時に発生する衝撃を吸収する。
【００２８】
このとき、吸収する衝撃の大きさによっては、バンプクッション３１がバンプストッパ３０の外側にはみ出す程外方へ変形する場合も考えられる。
【００２９】
ところが、バンプクッション３１が衝突するバンプストッパ３０の上壁には、中央の挿通孔３３から外周側に向って高くなる変形抑制部としての傾斜面３５が形成されているので、この傾斜面３５に衝突したバンプクッション３１は、図２に示すように、その当接部に中心方向へ向かう分力Ｆが発生することと、挿通孔３３に向かう傾斜面３５でバンプクッション３１の軸心方向への変形を許容する凹部が新たに形成されることで容易にバンプクッション３１が外方へ変形するのを防止する。
【００３０】
従って、従来のように、バンプクッション３１がバンプストッパ３０の外側に簡単にはみ出してしまい、このはみ出し部分が筒部の外周に設けた排出口の開口端部に引っかかり、バンプクッション３１を破損させると言ったことを確実に防止することができるので、バンプクッション３１自体の耐久性を著しく向上させることができる。
【００３１】
特に、本実施例では排出路３８の排出口を筒部３４の下端部としたので、従来の筒部の上方に排出口を設けたものに比較し、更に上述したバンプクッション３１の破損を防止することができる。
【００３２】
又、バンプクッション３１自体を合成樹脂の射出成形で形成することで本発明の傾斜面３５を備えた上壁３２や、筒部３４を一度に形成できるので、製造時間を短縮して安価に製造することができる。
【００３３】
尚、本発明は上記の実施の形態に限定されるものではなく、例えば、次のように変更して具体化することも可能である。
【００３４】
１）本実施の形態では、バンプストッパ３０の上壁中央に設けられたピストンロッド２５挿通用の挿通孔３３から外周側に向って高くなる傾斜面３５を形成して本発明の変形抑制部としたが、この傾斜面３５に限定されるものではなく、例えば、上壁３２中央に設けられたピストンロッド２５挿通用の挿通孔３３から外周側に向って高くなる湾曲面を形成して本発明の変形抑制部としても良い。
【００３５】
２）本実施の形態では、排出路３８の排出口を筒部３４の下端部としたバンプストッパ３０を用いたが、これに限定されるものではなく、従来のような筒部３４の上部に排出口を設けたバンプストッパ３０に具体化しても良い。
【００３６】
３）本実施の形態では、バンプストッパ３０の上壁３２に設けた傾斜面３５をバンプストッパ３０自体を形成する際の射出成形時に一体形成したが、これに限定されるものではなく、バンプストッパ３０形成後の別加工工程で上記傾斜面３５を形成するようにしても良い。但し、この実施例のように合成樹脂の射出成形でバンプストッパ３０を形成する場合には、上記一体成形方法が製造時間を短縮して製造コストを低減することができる。
【００３７】
４）本実施の形態では、バンプストッパ３０を合成樹脂で形成したものを示したが、これに限定されるものではなく、金属のプレス加工等で形成したバンプストッパに本発明を具体化しても良い。
【００３８】
５）本実施の形態では、複筒型の油圧緩衝器２１に具体化したが、単筒型の油圧緩衝器に具体化しても良い。
【図面の簡単な説明】
【００３９】
【図１】本発明の実施の形態を示す油圧緩衝器の要部破断正面図である。
【図２】図１における油圧緩衝器の最圧縮状態を示す要部破断正面図である。
【図３】従来例を示す油圧緩衝器の要部破断正面図である。
【図４】図３における油圧緩衝器の最圧縮状態を示す要部破断正面図である。
【符号の説明】
【００４０】
２１  油圧緩衝器
２５  ピストンロッド
２９  緩衝器本体
３０  バンプストッパ
３１  バンプクッション
３２  上壁（衝突部）
３３  挿通孔
３４  筒部
３５  傾斜面（変形抑制部）
３９  キャップ状本体
【図１】
2005265157.tif 000003
【図２】
2005265157.tif 000004
【図３】
2005265157.tif 000005
【図４】
2005265157.tif 000006